(57)【要約】【課題】防水性能を十分に確保することができること。【解決手段】操作端末１は、互いに組み合わされる第１筐体４及び第２筐体を有する外装筐体３と、外装筐体３内部に収納される回路基板とを備える。第１筐体４は、外装筐体３内部に向けて窪む第１凹部６１１を有し、第２筐体に組み合わされる第１筐体本体６と、第１凹部６１１に嵌合する蓋体７とを備える。【選択図】図３
2015015402.tif 000002
【特許請求の範囲】
【請求項１】
互いに組み合わされる第１筐体及び第２筐体を有する外装筐体と、
前記外装筐体内部に収納される回路基板とを備え、
前記第１筐体は、
前記外装筐体内部に向けて窪む第１凹部を有し、前記第２筐体に組み合わされる第１筐体本体と、
前記第１凹部に嵌合する蓋体とを備える
ことを特徴とする操作端末。
【請求項２】
前記蓋体には、
前記蓋体の表裏面を貫通する蓋体側開口部が形成されているとともに、前記蓋体側開口部に嵌合する嵌合部材が取り付けられている
ことを特徴とする請求項１に記載の操作端末。
【請求項３】
前記第１筐体及び前記第２筐体は、
前記回路基板の表裏面にそれぞれ対向する側から互いに組み合わされ、
前記第１凹部は、
前記回路基板の表面または裏面に向けて窪むように形成されている
ことを特徴とする請求項１または２に記載の操作端末。
【請求項４】
前記蓋体には、
前記蓋体の表裏面を貫通する蓋体側開口部が形成されているとともに、前記蓋体側開口部に嵌合する嵌合部材が取り付けられ、
前記第１凹部の底部分には、
前記第１筐体本体内外を連通する筐体側開口部が形成され、
前記嵌合部材は、
前記蓋体側開口部及び前記筐体側開口部を介して、前記回路基板に実装されたスイッチを押圧するための操作ボタンである
ことを特徴とする請求項３に記載の操作端末。
【請求項５】
前記第１凹部の底部分には、
可撓性を有する樹脂フィルムが少なくとも前記筐体側開口部を閉塞するように貼り付けられている
ことを特徴とする請求項４に記載の操作端末。
【請求項６】
前記第１筐体本体は、
平面視で矩形形状を有する筐体側主面部と、
前記筐体側主面部の外縁にそれぞれ立設され、前記第２筐体に当接する４つの筐体側壁部とを備え、
前記第１凹部は、
前記筐体側主面部に形成され、
前記４つの筐体側壁部のうち互いに対向する一対の前記筐体側壁部には、
前記第１凹部に連設され、対向する他の前記筐体側壁部に向けてそれぞれ窪む２つの第２凹部が形成され、
前記蓋体は、
前記第１凹部に嵌合する蓋体側主面部と、
前記蓋体側主面部の外縁に立設され、前記２つの第２凹部にそれぞれ嵌合する２つの蓋体側壁部とを備える
ことを特徴とする請求項１〜５のいずれか一つに記載の操作端末。
【請求項７】
前記第２凹部及び前記蓋体側壁部には、
前記蓋体を前記第１筐体本体に対して取り付けるための係止構造が設けられている
ことを特徴とする請求項６に記載の操作端末。
【請求項８】
前記第１筐体及び前記第２筐体の間に配設される防水用のパッキング部材を備え、
前記パッキング部材は、
前記第１筐体または前記第２筐体に一体成型されている
ことを特徴とする請求項１〜７のいずれか一つに記載の操作端末。
【発明の詳細な説明】
【技術分野】
【０００１】
本発明は、機械警備や出入管理等に用いられる操作端末に関する。
【背景技術】
【０００２】
従来、警備装置や出入管理装置等の外部装置を遠隔で操作する操作端末が知られている（例えば、非特許文献１参照）。
このような操作端末は、スイッチが実装された回路基板と、当該回路基板を収納する外装筐体とを備え、屋内や屋外の壁等に取り付けられる。
ここで、外装筐体は、ユーザにより操作される側（前面側）に配設される前面側筐体と、背面側に配設され、前面側筐体に組み合わされることで回路基板を収納する空間を形成する背面側筐体とを備える。
また、前面側筐体には、外装筐体内外を連通する開口部が形成されているとともに、当該開口部を介して回路基板に実装されたスイッチを押圧するための操作ボタンが取り付けられている。
【先行技術文献】
【非特許文献】
【０００３】
【非特許文献１】「綜合警備保障株式会社  商品総合カタログ  ２００５年度版」，  ２００５年３月，  P.71
【発明の概要】
【発明が解決しようとする課題】
【０００４】
ところで、操作端末を屋外の壁等に取り付けた場合には、雨や雪により操作端末が水で濡れ、前面側筐体に形成された開口部と操作ボタンとの隙間を介して内部に水が浸入してしまう虞がある。
ここで、当該水の浸入を防止するために、例えば、メンブレンシート等の樹脂シートを前面側筐体表面に貼り付け、当該樹脂シートにより、上記隙間を閉塞することが考えられる。
しかしながら、ユーザによる操作時に、爪等により樹脂シートが破損することが想定されるため、操作端末の防水性能を十分に確保することは難しい。
【０００５】
本発明は、上記に鑑みてなされたものであって、防水性能を十分に確保することができる操作端末を提供することを目的とする。
【課題を解決するための手段】
【０００６】
上述した課題を解決し、目的を達成するために、本発明に係る操作端末は、互いに組み合わされる第１筐体及び第２筐体を有する外装筐体と、前記外装筐体内部に収納される回路基板とを備え、前記第１筐体は、前記外装筐体内部に向けて窪む第１凹部を有し、前記第２筐体に組み合わされる第１筐体本体と、前記第１凹部に嵌合する蓋体とを備えることを特徴とする。
【０００７】
また、本発明に係る操作端末は、上記発明において、前記蓋体には、前記蓋体の表裏面を貫通する蓋体側開口部が形成されているとともに、前記蓋体側開口部に嵌合する嵌合部材が取り付けられていることを特徴とする。
【０００８】
また、本発明に係る操作端末は、上記発明において、前記第１筐体及び前記第２筐体は、前記回路基板の表裏面にそれぞれ対向する側から互いに組み合わされ、前記第１凹部は、前記回路基板の表面または裏面に向けて窪むように形成されていることを特徴とする。
【０００９】
また、本発明に係る操作端末は、上記発明において、前記蓋体には、前記蓋体の表裏面を貫通する蓋体側開口部が形成されているとともに、前記蓋体側開口部に嵌合する嵌合部材が取り付けられ、前記第１凹部の底部分には、前記第１筐体本体内外を連通する筐体側開口部が形成され、前記嵌合部材は、前記蓋体側開口部及び前記筐体側開口部を介して、前記回路基板に実装されたスイッチを押圧するための操作ボタンであることを特徴とする。
【００１０】
また、本発明に係る操作端末は、上記発明において、前記第１凹部の底部分には、可撓性を有する樹脂フィルムが少なくとも前記筐体側開口部を閉塞するように貼り付けられていることを特徴とする。
【００１１】
また、本発明に係る操作端末は、上記発明において、前記第１筐体本体は、平面視で矩形形状を有する筐体側主面部と、前記筐体側主面部の外縁にそれぞれ立設され、前記第２筐体に当接する４つの筐体側壁部とを備え、前記第１凹部は、前記筐体側主面部に形成され、前記４つの筐体側壁部のうち互いに対向する一対の前記筐体側壁部には、前記第１凹部に連設され、対向する他の前記筐体側壁部に向けてそれぞれ窪む２つの第２凹部が形成され、前記蓋体は、前記第１凹部に嵌合する蓋体側主面部と、前記蓋体側主面部の外縁に立設され、前記２つの第２凹部にそれぞれ嵌合する２つの蓋体側壁部とを備えることを特徴とする。
【００１２】
また、本発明に係る操作端末は、上記発明において、前記第２凹部及び前記蓋体側壁部には、前記蓋体を前記第１筐体本体に対して取り付けるための係止構造が設けられていることを特徴とする。
【００１３】
また、本発明に係る操作端末は、上記発明において、前記第１筐体及び前記第２筐体の間に配設される防水用のパッキング部材を備え、前記パッキング部材は、前記第１筐体または前記第２筐体に一体成型されていることを特徴とする。
【発明の効果】
【００１４】
本発明に係る操作端末では、第１筐体は、上述した第１筐体本体と、当該第１筐体本体に形成された第１凹部に嵌合する上述した蓋体との二重構造で構成されている。このため、第１筐体が水で濡れた場合でも、当該二重構造により、回路基板が収納される外装筐体内部の空間に水が浸入することを抑制することができる。
以上のことから、操作端末の防水性能を十分に確保することができる、という効果を奏する。
【図面の簡単な説明】
【００１５】
【図１】図１は、本発明の実施の形態に係る操作端末を前面側から見た斜視図である。
【図２】図２は、図１に示す操作端末を第１筐体、回路基板、及び第２筐体に分解した分解斜視図である。
【図３】図３は、図１または図２に示す第１筐体を第１筐体本体及び蓋体に分解した分解斜視図である。
【図４】図４は、図３に示す第１筐体本体から樹脂フィルムを分解した分解斜視図である。
【図５】図５は、図３に示す蓋体を前面側から見た斜視図である。
【図６】図６は、図３に示す蓋体を背面側から見た斜視図である。
【図７】図７は、図１または図２に示す第２筐体を前面側から見た斜視図である。
【発明を実施するための形態】
【００１６】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１７】
〔操作端末の概略構成〕
図１は、本発明の実施の形態に係る操作端末１を前面側から見た斜視図である。図２は、操作端末１を第１筐体４、回路基板２、及び第２筐体５に分解した分解斜視図である。
なお、本実施の形態では、ユーザにより操作される側を「前面側」と記載し、その反対側を「背面側」と記載する。
操作端末１は、警備装置や出入管理装置等の外部装置（図示略）を遠隔で操作するために、当該外部装置の動作を指示するユーザ操作を受け付ける装置である。
この操作端末１は、図１または図２に示すように、回路基板２（図２）と、ユーザ操作を受け付ける第１〜第３操作ボタン７Ａ〜７Ｃが設けられた外装筐体３とを備える。
【００１８】
〔回路基板の構成〕
回路基板２は、制御回路（図示略）、通信回路（図示略）、複数の発光素子２Ａ（図４参照）、第１検出回路（図示略）、複数の第２検出回路（図示略）、及び音声出力回路（図示略）等の電子部品が実装されたプリント基板で構成されている。
そして、回路基板２は、表面が前面側を向き、裏面が背面側を向くように、外装筐体３内部に収納される。
制御回路は、回路基板２の表面に実装され、操作端末１を構成する各部に対応する指示やデータの転送等を行って操作端末１の動作を統括的に制御する。
通信回路は、回路基板２の表面に実装される。そして、通信回路は、ＩＤカードとの間で通信を行い、ＩＤカードから情報を取得する。
発光素子２Ａは、ＬＥＤ等で構成され、回路基板２の表面に実装される。そして、発光素子２Ａは、制御回路による制御の下、発光する。
【００１９】
第１検出回路は、スイッチ（図示略）を有し、回路基板２の裏面に実装される。そして、第１検出回路は、後述する第１，第２筐体４，５が組み合わされた際に第２筐体５により当該スイッチが押圧された状態となり、第２筐体５に対して第１筐体４が取り外された際に当該スイッチが押圧されていない元の状態に戻る。すなわち、第１検出回路は、スイッチの押圧状態により、第２筐体５に対して第１筐体４が取り外されたことを検出する。
第２検出回路は、スイッチ（図示略）を有し、回路基板２の表面に実装される。そして、第２検出回路は、ユーザ操作による第１〜第３操作ボタン７Ａ〜７Ｃの押圧状態を検出する。
音声出力回路は、回路基板２の表面に実装され、音声を出力する。
【００２０】
〔外装筐体の構成〕
外装筐体３は、図１または図２に示すように、第１筐体４と、第２筐体５とを備え、全体で略直方体形状を有する。
そして、第１，第２筐体４，５は、図２に示すように、回路基板２の表裏面にそれぞれ対向する側から互いに組み合わされる。
【００２１】
〔第１筐体の構成〕
図３は、第１筐体４を第１筐体本体６及び蓋体７に分解した分解斜視図である。
第１筐体４は、図１または図２に示すように、第２筐体５の前面側に配設される。
この第１筐体４は、図３に示すように、第１筐体本体６と、第１〜第３操作ボタン７Ａ〜７Ｃが設けられた蓋体７とを備え、二重構造で構成されている。
【００２２】
〔第１筐体本体の構成〕
図４は、第１筐体本体６から樹脂フィルム６Ａを分解した分解斜視図である。
第１筐体本体６は、樹脂材料からなる成型品であり、図４に示すように、第１筐体側主面部６１と、筐体側第１〜第４壁部６２〜６５とを備え、全体で略容器形状を有する。
なお、第１筐体側主面部６１は、本発明に係る筐体側主面部に相当する。また、筐体側第１〜第４壁部６２〜６５は、本発明に係る筐体側壁部に相当する。
第１筐体側主面部６１は、矩形状の板体で構成され、回路基板２を支持する。
具体的に、回路基板２は、その表面が第１筐体側主面部６１の裏面（背面）に対向する状態で、ネジ（図示略）により第１筐体側主面部６１の裏面（後述する第１凹部６１１における底部分の裏面）に固定される。
この第１筐体側主面部６１には、図４に示すように、回路基板２の表面に向けて窪む第１凹部６１１が形成されている。
【００２３】
第１凹部６１１は、平面視で（前面側から見て）、矩形状の第１筐体側主面部６１における４つの辺縁（外縁）のうち、一の辺縁６１Ａから、当該一の辺縁６１Ａに対向する他の辺縁６１Ｂまで長手方向に沿って延在するように形成されている。
この第１凹部６１１の底部分には、図４に示すように、筐体側第１〜第５開口部６１１Ａ〜６１１Ｄ，６１１Ｈと、押圧用開口部６１１Ｅ〜６１１Ｇと、筐体側音声出力用孔６１１Ｉと、筐体側固定用孔６１１Ｊとが形成されている。
【００２４】
筐体側第１〜第５開口部６１１Ａ〜６１１Ｄ，６１１Ｈは、回路基板２に実装された複数の発光素子２Ａに対向する位置にそれぞれ形成され、複数の発光素子２Ａからの光をそれぞれ通過させる。
より具体的に、筐体側第１開口部６１１Ａは、一の辺縁６１Ａ側に形成され、第１凹部６１１の幅方向に沿って延在するスリット形状を有する。
筐体側第２，第３開口部６１１Ｂ，６１１Ｃは、第１凹部６１１における延在方向の中心位置よりも筐体側第１開口部６１１Ａ側にそれぞれ形成され、第１凹部６１１の幅方向に沿って並設されている。
筐体側第４開口部６１１Ｄは、他の辺縁６１Ｂ側に形成されている。
筐体側第５開口部６１１Ｈは、第１凹部６１１の略中心位置に形成されている。
【００２５】
押圧用開口部６１１Ｅ〜６１１Ｇは、回路基板２に実装された複数の第２検出回路（スイッチ）に対向する位置（筐体側第２〜第４開口部６１１Ｂ〜６１１Ｄに近接する位置）にそれぞれ形成されている。
これら押圧用開口部６１１Ｅ〜６１１Ｇの内部には、略Ｕ字形状を有し、当該Ｕ字の両端部が押圧用開口部６１１Ｅ〜６１１Ｇの縁部分に接続し、前面側または背面側に揺動可能とする揺動部６１１Ｋ〜６１１Ｍがそれぞれ設けられている。
そして、ユーザ操作により第１〜第３操作ボタン７Ａ〜７Ｃが押圧された際に、当該第１〜第３操作ボタン７Ａ〜７Ｃとともに揺動部６１１Ｋ〜６１１Ｍが背面側にそれぞれ押下され、当該揺動部６１１Ｋ〜６１１Ｍにより回路基板２に実装された複数の第２検出回路（スイッチ）がそれぞれ押圧されることとなる。
以上説明した押圧用開口部６１１Ｅ〜６１１Ｇは、本発明に係る筐体側開口部に相当する。
【００２６】
筐体側音声出力用孔６１１Ｉは、回路基板２に実装された音声出力回路に対向する位置（第１凹部６１１における延在方向の中心位置よりも他の辺縁６１Ｂ側の位置）に形成されている。そして、筐体側音声出力用孔６１１Ｉは、回路基板２に実装された音声出力回路からの音声を外部に出力する。
筐体側固定用孔６１１Ｊは、第１，第２筐体４，５を互いに固定するための孔であり、筐体側音声出力用孔６１１Ｉに対して他の辺縁６１Ｂ側に形成されている。
【００２７】
また、第１凹部６１１の底部分の表面（前面）には、図３または図４に示すように、樹脂フィルム６Ａが貼り付けられている。
さらに、第１凹部６１１の底部分の表面（前面）には、空気は通すが水は通さない特性を有する樹脂フィルム（図示略）が筐体側音声出力用孔６１１Ｉを閉塞するように貼り付けられている。
なお、樹脂フィルム６Ａの構成については、後述する。
【００２８】
筐体側第１〜第４壁部６２〜６５は、第１筐体側主面部６１の外縁に立設された矩形状の板体でそれぞれ構成され、隣接する他の壁部と接続して全体で略矩形枠形状を有する。
また、筐体側第１〜第４壁部６２〜６５の先端は、同一平面上に位置する平坦状に形成され、第１，第２筐体４，５が互いに組み合わされた状態で、第２筐体５に当接する。
これら筐体側第１〜第４壁部６２〜６５のうち、第１筐体側主面部６１における一の辺縁６１Ａ、及び当該一の辺縁６１Ａに対向する他の辺縁６１Ｂに位置する筐体側第１，第２壁部６２，６３には、図４に示すように、第２凹部６２１，６３１がそれぞれ形成されている。
【００２９】
第２凹部６２１は、筐体側第１壁部６２において、当該筐体側第１壁部６２に対向する筐体側第２壁部６３に向けて窪む凹部であり、第１筐体側主面部６１に接続する基端から先端に向けて延在するように形成されている。すなわち、第２凹部６２１は、第１凹部６１１に連設されている。
なお、第２凹部６２１の幅寸法は、第１凹部６１１の幅寸法と同一に設定されている。
この第２凹部６２１の底部分には、筐体側第２壁部６３に向けて窪み、蓋体７を第１筐体本体６に係止するための一対の係止用凹部６２１Ａが形成されている。
他の第２凹部６３１については、具体的な説明は省略するが、第２凹部６２１（一対の係止用凹部６２１Ａも含む）と同様の形状を有するものである。
【００３０】
〔樹脂フィルムの構成〕
樹脂フィルム６Ａは、ＰＥＴ（Polyethylene terephthalate）フィルムで構成され、図３または図４に示すように、筐体側第１〜第５開口部６１１Ａ〜６１１Ｄ，６１１Ｈ、及び押圧用開口部６１１Ｅ〜６１１Ｇを閉塞するように第１凹部６１１の底部分の表面（前面）に貼り付けられている。
この樹脂フィルム６Ａは、光を透過させるが水は通さない特性を有する。すなわち、樹脂フィルム６Ａにて筐体側第１〜第４開口部６１１Ａ〜６１１Ｄを閉塞した状態でも、発光素子２Ａからの光は、筐体側第１〜第４開口部６１１Ａ〜６１１Ｄ及び樹脂フィルム６Ａを介して、第１筐体本体６外部に進むこととなる。また、樹脂フィルム６Ａにて各開口部６１１Ａ〜６１１Ｈを閉塞することで、当該開口部６１１Ａ〜６１１Ｈを介して、第１筐体本体６内部に水が浸入することを防止することができる。
【００３１】
また、この樹脂フィルム６Ａは、可撓性を有する。さらに、この樹脂フィルム６Ａは、押圧用開口部６１１Ｅ〜６１１Ｇに対向する位置に、エンボス加工により、前面側に膨出したボタン部６Ａ１〜６Ａ３が形成されている。すなわち、樹脂フィルム６Ａにて押圧用開口部６１１Ｅ〜６１１Ｇを閉塞した状態でも、ユーザ操作により第１〜第３操作ボタン７Ａ〜７Ｃが押圧されれば、第１〜第３操作ボタン７Ａ〜７Ｃの押下に伴って樹脂フィルム６Ａ（ボタン部６Ａ１〜６Ａ３）が撓むこととなる。このため、第１〜第３操作ボタン７Ａ〜７Ｃの操作を揺動部６１１Ｋ〜６１１Ｍに伝達することが可能となる。
【００３２】
〔蓋体の構成〕
図５は、蓋体７を前面側から見た斜視図である。図６は、蓋体７を背面側から見た斜視図である。
蓋体７は、樹脂材料からなる成型品であり、図５または図６に示すように、蓋体側主面部７１と、蓋体側第１，第２壁部７２，７３とを備え、断面視で略Ｕ字形状を有する。
なお、蓋体側第１，第２壁部７２，７３は、本発明に係る蓋体側壁部に相当する。
蓋体側主面部７１は、第１凹部６１１の大きさと略同一の大きさを有する矩形状の板体で構成され、第１凹部６１１に嵌合して第１凹部６１１を閉塞する。
この蓋体側主面部７１には、図５または図６に示すように、蓋体側第１〜第４開口部７１１〜７１４（図５）と、蓋体側音声出力用孔７１５と、蓋体側固定用孔７１６（図６）とが形成されている。
なお、蓋体側第１〜第４開口部７１１〜７１４は、本発明に係る蓋体側開口部に相当する。
【００３３】
蓋体側第１〜第４開口部７１１〜７１４は、筐体側第１〜第４開口部６１１Ａ〜６１１Ｄに対向する位置にそれぞれ形成されている。そして、蓋体側第１〜第４開口部７１１〜７１４は、筐体側第１〜第４開口部６１１Ａ〜６１１Ｄと同様に、複数の発光素子２Ａからの光をそれぞれ通過させる。
より具体的に、蓋体側第１〜第４開口部７１１〜７１４は、筐体側第１〜第４開口部６１１Ａ〜６１１Ｄとそれぞれ略同一形状を有する。
そして、蓋体側主面部７１には、図５または図６に示すように、第１〜第３操作ボタン７Ａ〜７Ｃと透光性部材７Ｄとが取り付けられている。
なお、透光性部材７Ｄ及び第１〜第３操作ボタン７Ａ〜７Ｃの構成については、後述する。
【００３４】
蓋体側音声出力用孔７１５は、筐体側音声出力用孔６１１Ｉに対向する位置に形成されている。そして、蓋体側音声出力用孔７１５は、筐体側音声出力用孔６１１Ｉと同様に、回路基板２に実装された音声出力回路からの音声を外部に出力する。
蓋体側固定用孔７１６は、第１，第２筐体４，５を互いに固定するための孔であり、筐体側固定用孔６１１Ｊに対向する位置に形成されている。
そして、蓋体側主面部７１の表面（前面）には、図５に示すように、蓋体側固定用孔７１６を閉塞するカバー部材７１６Ａが取り付けられている。
【００３５】
蓋体側第１，第２壁部７２，７３は、蓋体側主面部７１における互いに対向する２つの外縁にそれぞれ立設され、第２凹部６２１，６３１の大きさと略同一の大きさを有する矩形状の板体でそれぞれ構成されている。そして、蓋体側第１，第２壁部７２，７３は、第２凹部６２１，６３１にそれぞれ嵌合して第２凹部６２１，６３１をそれぞれ閉塞する。
蓋体側第１壁部７２において、蓋体側第２壁部７３に対向する面には、図６に示すように、蓋体側第２壁部７３に向けて突出し、蓋体７を第１筐体本体６に取り付けた際に、第２凹部６２１の一対の係止用凹部６２１Ａにそれぞれ係止される一対の係止用突起７２１が形成されている。
なお、蓋体側第２壁部７３にも、上述した一対の係止用突起７２１と同様の一対の係止用突起７３１（第２凹部６３１の一対の係止用凹部にそれぞれ係止される一対の係止用突起）が形成されている。
以上説明した第２凹部６２１，６３１における一対の係止用凹部６２１Ａ、及び蓋体側第１，第２壁部７２，７３における一対の係止用突起７２１，７３１は、本発明に係る係止構造に相当する。
【００３６】
〔透光性部材及び第１〜第３操作ボタンの構成〕
透光性部材７Ｄは、図５または図６に示すように、蓋体側第１開口部７１１と略同一の形状を有し、蓋体側主面部７１に対して、例えば、超音波溶着等により固定される。そして、透光性部材７Ｄは、蓋体側主面部７１に固定された状態で、蓋体側第１開口部７１１に嵌合し、当該蓋体側第１開口部７１１を閉塞する。
第１，第２操作ボタン７Ａ，７Ｂは、図５または図６に示すように、蓋体側第２，第３開口部７１２，７１３と略同一の形状を有し、当該蓋体側第２，第３開口部７１２，７１３にそれぞれ嵌合し、当該蓋体側第２，第３開口部７１２，７１３をそれぞれ閉塞する。
以上説明した透光性部材７Ｄ及び第１，第２操作ボタン７Ａ，７Ｂは、透光性を有する樹脂材料からなる一体成型品で構成されている。
【００３７】
具体的に、第１，第２操作ボタン７Ａ，７Ｂは、図６に示すように、２つの支持部７Ｄ１により、透光性部材７Ｄにそれぞれ接続されている。
２つの支持部７Ｄ１は、その材料の剛性や形状等により、弾性変形を可能とする。
すなわち、透光性部材７Ｄが蓋体側主面部７１に固定された状態で、第１，第２操作ボタン７Ａ，７Ｂがユーザにより押圧されていない場合には、各２つの支持部７Ｄ１が弾性変形しない。このため、第１，第２操作ボタン７Ａ，７Ｂは、蓋体側第２，第３開口部７１２，７１３にそれぞれ嵌合した状態となる。
一方、第１，第２操作ボタン７Ａ，７Ｂがユーザにより押圧された場合には、第１，第２操作ボタン７Ａ，７Ｂの押下に伴って各２つの支持部７Ｄ１が弾性変形する。このため、第１，第２操作ボタン７Ａ，７Ｂは、各２つの支持部７Ｄ１を支点として、背面側に押下される。そして、第１，第２操作ボタン７Ａ，７Ｂは、樹脂フィルム６Ａ（ボタン部６Ａ１，６Ａ２）及び揺動部６１１Ｋ，６１１Ｌを介して、回路基板２に実装された第２検出回路（スイッチ）を押圧することとなる。
【００３８】
第３操作ボタン７Ｃは、図５または図６に示すように、蓋体側第４開口部７１４と略同一の形状を有し、第１，第２操作ボタン７Ａ，７Ｂと同様に揺動可能な状態で、蓋体側主面部７１に対して、例えば、超音波溶着等により固定される。そして、第３操作ボタン７Ｃは、蓋体側主面部７１に固定された状態で、蓋体側第４開口部７１４に嵌合し、当該蓋体側第４開口部７１４を閉塞する。
以上説明した透光性部材７Ｄ、及び第１〜第３操作ボタン７Ａ〜７Ｃは、本発明に係る嵌合部材に相当する。
【００３９】
〔第２筐体の構成〕
図７は、第２筐体５を前面側から見た斜視図である。
第２筐体５は、樹脂材料からなる成型品であり、図７に示すように、第２筐体側主面部５１と、筐体側第５〜第８壁部５２〜５５とを備え、全体で略容器形状を有する。
第２筐体側主面部５２は、矩形状の板体で構成されている。
この第２筐体側主面部５２には、図７に示すように、配線用開口部５２１と、設置用開口部５２２と、収容部５２３と、固定用ボス５２４とが形成されている。
配線用開口部５２１は、外部から回路基板２に接続するための信号線が挿入される開口である。
設置用開口部５２２は、操作端末１を屋内や屋外の壁等に設置する際にネジ等を挿通するための開口である。
収容部５２３は、前面側に窪む凹部であり、上記信号線の余剰分を収容する配線だまりである。
固定用ボス５２４は、筐体側固定用孔６１１Ｊに対向する位置に形成されている。そして、固定用ボス５２４は、内部にネジ孔５２４Ａが形成され、第１，第２筐体４，５を互いに固定するために用いられる。
【００４０】
筐体側第５〜第８壁部５２〜５５は、第２筐体側主面部５１の外縁に立設された矩形状の板体でそれぞれ構成され、隣接する他の壁部と接続して全体で略矩形枠形状を有する。
また、筐体側第５〜第８壁部５２〜５５の先端は、同一平面上に位置する平坦状に形成されている。
そして、筐体側第５〜第８壁部５２〜５５の先端において、矩形枠状の内側部分には、第１，第２筐体４，５の間に配設される防水用のパッキング部材８が設けられている。
以上説明した第２筐体５及びパッキング部材８は、異なる樹脂材料（例えば、パッキング部材８にはエラストマを採用）から構成され、異材成型（二色成型）による一体成型品で構成されている。
【００４１】
〔操作端末の組み立て〕
そして、操作端末１は、以下に示すように組み立てられる。
先ず、作業者は、第１筐体本体６に対して、裏面に回路基板２を取り付けるとともに、第１凹部６１１の底部分に樹脂フィルム６Ａを貼り付ける。そして、作業者は、第１筐体本体６の第１，第２凹部６１１，６２１，６３１に蓋体７を嵌合して、第１筐体４を組み立てる。
次に、作業者は、第１，第２筐体４，５を組み合わせる。そして、作業者は、固定ネジＳｃ（図６参照）を第１筐体４の前面側から蓋体側固定用孔７１６に挿通し、筐体側固定用孔６１１Ｊを介して、固定用ボス５２４のネジ孔５２４Ａに締結する。すなわち、蓋体７、第１筐体本体６、及び第２筐体５は、固定ネジＳｃにより、共締めされる。この後、作業者は、カバー部材７１６Ａを蓋体７に取り付け、蓋体側固定用孔７１６を閉塞する。
以上のように操作端末１が組み立てられた状態では、第１筐体４における筐体側第１〜第４壁部６２〜６５の先端と、第２筐体５における筐体側第５〜第８壁部５２〜５５の先端とが当接する。また、筐体側第１〜第４壁部６２〜６５内にパッキング部材８が嵌合し、当該パッキング部材８が筐体側第１〜第４壁部６２〜６５内面に密着した状態となる。
【００４２】
以上説明した本実施の形態では、第１筐体４は、第１筐体本体６と、第１〜第３操作ボタン７Ａ〜７Ｃや透光性部材７Ｄが設けられた蓋体７との二重構造で構成されている。このため、蓋体側第２〜第４開口部７１２〜７１４と第１〜第３操作ボタン７Ａ〜７Ｃとの隙間や、蓋体側第１開口部７１１と透光性部材７Ｄとの隙間から水が浸入した場合でも、第１筐体本体６の第１凹部６１１により、回路基板２が収納される外装筐体３内部の空間に水が浸入することを抑制することができる。なお、蓋体側音声出力用孔７１５または蓋体側固定用孔７１６から水が浸入した場合でも、上記同様に、第１凹部６１１により、外装筐体３内部の空間に水が浸入することを抑制することができる。
特に、本実施の形態では、第１凹部６１１の底部分には、筐体側第１〜第５開口部６１１Ａ〜６１１Ｄ，６１１Ｈ、及び押圧用開口部６１１Ｅ〜６１１Ｇを閉塞するように樹脂フィルム６Ａが貼り付けられている。
したがって、第１凹部６１１に浸入してきた水を第１凹部６１１内部に滞留させ、各開口部６１１Ａ〜６１１Ｈを介して外装筐体３内部の空間に水が浸入することを確実に防止し、操作端末１の防水性能を十分に確保することができる。
【００４３】
ところで、操作端末の防水性能を十分に確保するために、大きさの異なる２つの容器状部材を組み合わせた二重構造で第１筐体を構成することも考えられる。
しかしながら、このような構成では、容器状の第１筐体における底面部分と４つの側壁部分との５つの面の全てが二重になるため、操作端末の外形サイズが大きくなり易い。
ここで、操作端末の外形サイズを抑えるために、上記二重構造における大きい方の容器状部材の外形サイズを従来の第１筐体と同一の外形サイズとなるように設計した場合には、以下の問題がある。
すなわち、回路基板については、従来であれば、従来の第１筐体のサイズ（上記二重構造における大きい方の容器状部材のサイズと同一）に合わせて作成すればよいが、上記二重構造においては、小さい方の容器状部材のサイズに合わせて作成する必要がある。このため、上記二重構造における大きい方の容器状部材の外形サイズを従来の第１筐体と同一の外形サイズとなるように設計した場合には、回路基板の基板面積を小さくせざるを得ず、回路基板に実装できる電子部品の数が制限されてしまう。
【００４４】
これに対して、本実施の形態では、第１筐体４は、第１筐体側主面部６１及び蓋体側主面部７１の部分、筐体側第１，第２壁部６２，６３及び蓋体側第１，第２壁部７２，７３の部分の３面のみが二重になる。
したがって、上記二重構造における大きい方の容器状部材の外形サイズと、本実施の形態における第１筐体４の外形サイズとを同一とした場合には、筐体側第３，第４壁部６４，６５の部分が二重でないため、本実施の形態で採用した二重構造の方が回路基板２の基板面積を大きく確保することができる。
【００４５】
また、本実施の形態では、第１筐体本体６には、第１凹部６１１の他、第２凹部６２１，６３１が形成されている。そして、蓋体７も同様に、第１凹部６１１に嵌合する蓋体側主面部７１と、第２凹部６２１，６３１に嵌合する蓋体側第１，第２壁部７２，７３とを備える。
このため、例えば、第１筐体本体６に第２凹部６２１，６３１が形成されておらず、かつ、蓋体７に蓋体側第１，第２壁部７２，７３が形成されていない構成と比較して、蓋体側第１，第２壁部７２，７３を利用することで、第１筐体本体６に対する蓋体７の着脱を容易に実施することができる。
特に、本実施の形態では、第２凹部６２１，６３１及び蓋体側第１，第２壁部７２，７３に係止構造（係止用凹部６２１Ａ及び係止用突起７３１）が設けられているため、蓋体側第１，第２壁部７２，７３を利用した第１筐体本体６に対する蓋体７の着脱をさらに容易に実施することができる。
【００４６】
また、本実施の形態では、パッキング部材８が第２筐体５に一体成型されている。
したがって、例えば、パッキング部材８が第２筐体５とは別体である構成と比較して、操作端末１を組み立てる際に、パッキング部材を手作業により所定位置に設置する工程を省略でき、さらに、パッキング部材が当該所定位置から脱落してしまうこともない。すなわち、操作端末１の組立作業を容易に実施することができる。
【００４７】
（本実施の形態の変形例）
ここまで、本発明を実施するための形態を説明してきたが、本発明は上述した実施の形態によってのみ限定されるべきものではない。
上述した実施の形態では、第１筐体本体６に第２凹部６２１，６３１が形成されているとともに、蓋体７もこれに合わせて蓋体側第１，第２壁部７２，７３が設けられていたが、これに限られない。
例えば、第１筐体本体６に第２凹部６２１，６３１の少なくともいずれか一方を形成せず、かつ、蓋体７もこれに合わせて蓋体側第１，第２壁部７２，７３の少なくともいずれか一方を形成しない構造を採用しても構わない。
【００４８】
また、上述した実施の形態では、パッキング部材８は、第２筐体５に一体成型されていたが、これに限られず、第１筐体４（第１筐体本体６）に一体成型された構成を採用しても構わない。
【００４９】
また、上述した実施の形態では、本発明に係る嵌合部材として、透光性を有する樹脂材料から構成された透光性部材７Ｄ、及び第１〜第３操作ボタン７Ａ〜７Ｃを採用していたが、これに限られない。
例えば、透光性を有さない樹脂材用や金属等で構成し、表面に会社名、ロゴマーク、製品番号等が刻印または印刷された部材を嵌合部材として採用しても構わない。
【００５０】
また、上述した実施の形態では、樹脂フィルム６Ａは、第１凹部６１１の底部分の表面（前面）に貼り付けられていたが、これに限られず、第１凹部６１１の底部分であれば、当該底部分の裏面（背面）に貼り付けても構わない。
【００５１】
また、上述した実施の形態では、警備装置または出入管理装置を遠隔で操作する操作端末を例に説明したが、例えば、エアコン、照明、及び電動カーテン等の装置を遠隔で操作する操作端末に適用しても構わない。
【符号の説明】
【００５２】
１  操作端末
２  回路基板
２Ａ  発光素子
３  外装筐体
４  第１筐体
５  第２筐体
６  第１筐体本体
６Ａ  樹脂フィルム
６Ａ１〜６Ａ３  ボタン部
７  蓋体
７Ａ〜７Ｃ  第１〜第３操作ボタン
７Ｄ  透光性部材
７Ｄ１  支持部
８  パッキング部材
５１  第２筐体側主面部
５２〜５５  筐体側第５〜第８壁部
６１  第１筐体側主面部
６１Ａ，６１Ｂ  辺縁
６２〜６５  筐体側第１〜第４壁部
７１  蓋体側主面部
７２，７３  蓋体側第１，第２壁部
５２１  配線用開口部
５２２  設置用開口部
５２３  収容部
５２４  固定用ボス
５２４Ａ  ネジ孔
６１１  第１凹部
６１１Ａ〜６１１Ｄ，６１１Ｈ  筐体側第１〜第５開口部
６１１Ｅ〜６１１Ｇ  押圧用開口部
６１１Ｉ  筐体側音声出力用孔
６１１Ｊ  筐体側固定用孔
６１１Ｋ〜６１１Ｍ  揺動部
６２１，６３１  第２凹部
６２１Ａ  係止用凹部
７１１〜７１４  蓋体側第１〜第４開口部
７１５  蓋体側音声出力用孔
７１６  蓋体側固定用孔
７１６Ａ  カバー部材
７２１，７３１  係止用突起
Ｓｃ  固定ネジ
【図１】
2015015402.tif 000003
【図２】
2015015402.tif 000004
【図３】
2015015402.tif 000005
【図４】
2015015402.tif 000006
【図５】
2015015402.tif 000007
【図６】
2015015402.tif 000008
【図７】
2015015402.tif 000009